(57)【特許請求の範囲】
【請求項１】
長尺状に形成された取付部材と、
前記取付部材に取り付けられる光源部と、
透光性を有し、前記光源部を覆うようにして前記取付部材に取り付けられるカバーとを備え、
前記取付部材は、矩形板状に形成されて前記光源部が取り付けられる底壁部と、前記底壁部の幅方向における両端から前記底壁部と交差する方向で且つ前記光源部と反対側に突出する一対の側壁部とを有し、
前記カバーは、前記光源部を覆うようにして前記底壁部と対向配置される透光部と、前記透光部の幅方向における両端から互いに近づく方向に延出する一対の延出部とを有し、
前記一対の延出部の各々には、前記カバーを前記取付部材に取り付けた状態で前記底壁部に接触する接触部を有する弾性部が設けられており、
前記接触部は、前記一対の延出部の各々のうち前記底壁部と対向する部位から前記取付部材側に突出し、
前記弾性部は、白色系の材料又は前記カバーと同色の材料により形成されていることを特徴とする光源ユニット。
【請求項２】
前記光源部は、発光素子が実装された基板を有し、
前記弾性部は、前記取付部材の長手方向及び幅方向と直交する方向において、前記底壁部に取り付けられた前記基板と重ならないように長さ寸法が設定されていることを特徴とする請求項１記載の光源ユニット。
【請求項３】
前記弾性部は、先端に近づくほど薄くなるように厚み寸法が設定されていることを特徴とする請求項１又は２記載の光源ユニット。
【請求項４】
前記カバーは、前記透光部の幅方向における両側から前記取付部材側に突出する一対の突壁部を更に有し、
前記一対の突壁部の各々の先端には、互いに近づく向きに突出する突起部が設けられており、
前記一対の側壁部の各々の先端には、前記一対の突起部のうち対応する突起部が引っ掛けられる引掛部が設けられており、
前記弾性部とは別の被覆弾性部を更に備え、
前記被覆弾性部は、少なくとも前記突起部を覆い、前記カバーを前記取付部材に取り付けた状態で前記引掛部に接触することを特徴とする請求項１〜３の何れか１項に記載の光源ユニット。
【請求項５】
長尺状に形成された取付部材と、
前記取付部材に取り付けられる光源部と、
透光性を有し、前記光源部を覆うようにして前記取付部材に取り付けられるカバーと、
被覆弾性部とを備え、
前記取付部材は、矩形板状に形成されて前記光源部が取り付けられる底壁部と、前記底壁部の幅方向における両端から前記底壁部と交差する方向で且つ前記光源部と反対側に突出する一対の側壁部とを有し、
前記カバーは、前記光源部を覆うようにして前記底壁部と対向配置される透光部と、前記透光部の幅方向における両端から互いに近づく方向に延出する一対の延出部と、前記透光部の幅方向における両側から前記取付部材側に突出する一対の突壁部とを有し、
前記一対の突壁部の各々の先端には、互いに近づく向きに突出する突起部が設けられており、
前記一対の側壁部の各々の先端には、前記一対の突起部のうち対応する突起部が引っ掛けられる引掛部が設けられており、
前記被覆弾性部は、少なくとも前記突起部を覆い、前記カバーを前記取付部材に取り付けた状態で前記引掛部に接触することを特徴とする光源ユニット。
【請求項６】
請求項１〜５の何れか１項に記載の光源ユニットと、前記光源ユニットが取り付けられる器具本体とを備えていることを特徴とする照明器具。
【発明の詳細な説明】
【技術分野】
【０００１】
本発明は、一般に光源ユニット及びそれを用いた照明器具に関し、より詳細には長尺状に形成された光源ユニット及びそれを用いた照明器具に関する。
【背景技術】
【０００２】
従来、天井に取り付けられる天井直付け型の照明器具が提供されている（例えば特許文献１参照）。特許文献１に記載された照明器具は、吊ボルトを用いて天井に直付けされる長尺の器具本体と、器具本体に対して着脱自在に取り付けられる光源部とを備え、器具本体の下面側には光源部を収容するための凹部が全長に亘って設けられている。
【０００３】
光源部は、複数の発光素子が実装された基板と、基板を器具本体に取り付けるための取付部材と、複数の発光素子を覆うようにして取付部材に取り付けられるカバー部材とを有する。カバー部材は、例えばアクリルを押出成形することで器具本体及び取付部材と同じ長尺状に形成され、取付部材の幅方向における両側に設けた各切り起こし片を、カバー部材の幅方向における両側に設けた各嵌合溝に嵌合させることで、取付部材に取り付けられる。
【先行技術文献】
【特許文献】
【０００４】
【特許文献１】特開２０１２−３９９３号公報
【発明の概要】
【発明が解決しようとする課題】
【０００５】
ところで、上述の特許文献１に示した照明器具のように、長尺のカバー部材を押出成形した場合、専用の成形型を用いる場合に比べてコストを抑えることができるものの、寸法バラツキや反りが大きくなりやすい。そのため、カバー部材を取付部材に取り付けた際に両者の間に隙間が生じ、この隙間を通って虫や塵埃などの異物が取付部材とカバー部材とで囲まれる空間に侵入する可能性があった。
【０００６】
本発明は上記問題点に鑑みて為されており、取付部材とカバーとで囲まれる空間への異物の侵入を低減することを目的とする。
【課題を解決するための手段】
【０００７】
本発明の光源ユニットは、長尺状に形成された取付部材と、前記取付部材に取り付けられる光源部と、透光性を有し、前記光源部を覆うようにして前記取付部材に取り付けられるカバーとを備え、前記取付部材は、矩形板状に形成されて前記光源部が取り付けられる底壁部と、前記底壁部の幅方向における両端から前記底壁部と交差する方向で且つ前記光源部と反対側に突出する一対の側壁部とを有し、前記カバーは、前記光源部を覆うようにして前記底壁部と対向配置される透光部と、前記透光部の幅方向における両端から互いに近づく方向に延出する一対の延出部とを有し、前記一対の延出部の各々には、前記カバーを前記取付部材に取り付けた状態で前記底壁部に接触する接触部を有する弾性部が設けられており、前記接触部は、前記一対の延出部の各々のうち前記底壁部と対向する部位から前記取付部材側に突出し、前記弾性部は、白色系の材料又は前記カバーと同色の材料により形成されていることを特徴とする。
また、本発明の光源ユニットは、長尺状に形成された取付部材と、前記取付部材に取り付けられる光源部と、透光性を有し、前記光源部を覆うようにして前記取付部材に取り付けられるカバーと、被覆弾性部とを備え、前記取付部材は、矩形板状に形成されて前記光源部が取り付けられる底壁部と、前記底壁部の幅方向における両端から前記底壁部と交差する方向で且つ前記光源部と反対側に突出する一対の側壁部とを有し、前記カバーは、前記光源部を覆うようにして前記底壁部と対向配置される透光部と、前記透光部の幅方向における両端から互いに近づく方向に延出する一対の延出部と、前記透光部の幅方向における両側から前記取付部材側に突出する一対の突壁部とを有し、前記一対の突壁部の各々の先端には、互いに近づく向きに突出する突起部が設けられており、前記一対の側壁部の各々の先端には、前記一対の突起部のうち対応する突起部が引っ掛けられる引掛部が設けられており、前記被覆弾性部は、少なくとも前記突起部を覆い、前記カバーを前記取付部材に取り付けた状態で前記引掛部に接触することを特徴とする。
【０００８】
本発明の照明器具は、上記の光源ユニットと、前記光源ユニットが取り付けられる器具本体とを備えていることを特徴とする。
【発明の効果】
【０００９】
本発明の構成によれば、取付部材とカバーとで囲まれる空間への異物の侵入を低減することができるという効果がある。
【図面の簡単な説明】
【００１０】
【図１】本発明の実施形態に係る光源ユニットの断面図である。
【図２】本発明の実施形態に係る照明器具の分解斜視図である。
【図３】本発明の実施形態に係る照明器具の全体斜視図である。
【図４】本発明の実施形態に係る照明器具の断面図である。
【図５】本発明の実施形態に係る光源ユニットに用いられるカバーの側面図である。
【図６】本発明の実施形態に係る光源ユニットに用いられるカバーの一部省略せる斜視図である。
【図７】図７Ａ〜図７Ｄは本発明の実施形態に係る光源ユニットに用いられるカバーのバリエーションを示す要部拡大図である。
【図８】本発明の実施形態に係る光源ユニットに用いられるカバーの別の例を示す要部拡大図である。
【発明を実施するための形態】
【００１１】
本発明の実施形態に係る光源ユニット２及び照明器具１０について、図面を参照しながら具体的に説明する。但し、以下に説明する構成は、本発明の一例に過ぎず、本発明は下記の実施形態に限定されることなく、この実施形態以外であっても、本発明に係る技術的思想を逸脱しない範囲であれば、設計等に応じて種々の変更が可能である。
【００１２】
なお、以下の説明では特に断りがない限り、図２において前後・左右・上下の各方向を規定する。したがって、本実施形態では、器具本体１の長手方向が前後方向、器具本体１の短手方向（幅方向）が左右方向、器具本体１の高さ方向が上下方向となる。但し、これらの方向は照明器具１０の取付方向を規定するものではない。
【００１３】
本実施形態の照明器具１０は、図２に示すように天井直付け型の照明器具である。この照明器具１０は、吊ボルト２００及びナット２０１を用いて天井板１００の下面に取り付けられる器具本体１と、器具本体１に対して着脱自在に取り付けられる光源ユニット２とを備える。
【００１４】
器具本体１は、板金に曲げ加工することにより、前後方向に長く且つ上面が開口する扁平な箱形に形成されている。器具本体１の上下方向における天井板１００と反対側（下側）には、光源ユニット２を収容するための凹部１１が器具本体１の全長に亘って設けられている。また、凹部１１の左右方向における両側には、凹部１１の開口端縁から延出し、且つ外側に行くほど上向きに傾斜する傾斜部１２，１２がそれぞれ設けられている（図４参照）。
【００１５】
凹部１１は、前後方向に長い矩形板状に形成された底壁部１１１と、底壁部１１１の左右方向における両端から下向きに突出する一対の側壁部１１２とで矩形状に形成されている。底壁部１１１には、電線を通すための孔１１１１が前後方向に沿って複数（図２では２個）設けられるとともに、吊ボルト２００を通すための孔１１１２が前後方向における両端寄りの位置にそれぞれ１個ずつ設けられている。
【００１６】
また、底壁部１１１には、天井板１００を通して室内側に露出する電源ケーブル４が接続される端子台１３が取り付けられている。この端子台１３は、直方体状に形成された本体部１３１を有し、本体部１３１には、接地線を含む３本の電線１３３が接続されている。また、これらの電線１３３の先端には、レセプタクルコネクタ１３２が接続されている。
【００１７】
さらに、凹部１１の右側の側壁部１１２には、後述の引掛片４１，４１がそれぞれ引っ掛けられる孔１１２１，１１２１が、前後方向における両端寄りの位置にそれぞれ設けられている。また、凹部１１の左側の側壁部１１２には、後述の引掛ばね４２，４２がそれぞれ引っ掛けられる引掛金具４３，４３が、前後方向における両端寄りの位置にそれぞれ取り付けられている。
【００１８】
さらに、凹部１１には、各側壁部１１２から底壁部１１１に跨るように形成された開口部１１２２（図２では片側の開口部１１２２のみ図示）が、底壁部１１１に取り付けられた端子台１３の近傍に設けられている。各開口部１１２２は、側壁部１１２及び側壁部１１２から連続する傾斜部１２で囲まれる空間１２１（図４参照）と凹部１１とをつなぎ、空間１２１は、例えば照明器具１０を前後方向に並設した場合に施工される送り配線を通す配線空間を形成する。
【００１９】
器具本体１の前後方向における両端部には、図２及び図３に示すようにエンドカバー３がそれぞれ取り付けられる。各エンドカバー３は、器具本体１の前後方向における断面形状と略同じ外形形状に形成され、器具本体１の前後方向における両端部の開口を閉塞するように取り付けられる。また、各エンドカバー３は、左右方向における両端寄りの位置にノックアウト孔３１，３１を有している。そして、これらのノックアウト孔３１，３１を開けることで、空間１２１に通した送り配線を外部へ引き出すことができる。
【００２０】
光源ユニット２は、図１、図２及び図４に示すように、ＬＥＤモジュール２２（光源部）と、ＬＥＤモジュール２２が取り付けられる取付部材２１と、ＬＥＤモジュール２２を覆うようにして取付部材２１に取り付けられるカバー２３とを有する。また、光源ユニット２は、ＬＥＤモジュール２２に電源を供給する電源装置２４と、天井板１００を通して室内側に露出する信号ケーブル５が接続される端子台２５とを有する。
【００２１】
ＬＥＤモジュール２２は、前後方向に長い矩形板状に形成された基板２２１を有する。基板２２１の下面には、複数のＬＥＤ２２２（発光素子）が前後方向（長手方向）に沿って実装されている。また、基板２２１の前端部には、電源装置２４との間を電気的に接続するコネクタ（図示せず）が実装されている。このコネクタには電線（図示せず）が接続されており、電線の端部を電源装置２４に接続することでＬＥＤモジュール２２と電源装置２４とが電気的に接続される。
【００２２】
取付部材２１は、板金に曲げ加工することによりＵ字状に形成され、前後方向に長い矩形板状に形成された底壁部２１１と、底壁部２１１の左右方向（幅方向）における両端から上向き（底壁部２１１と交差する方向）に突出する一対の側壁部２１２とを有する。各側壁部２１２の先端（上端）には、円形に折り曲げることにより形成された引掛部２１２１が全長に亘って設けられている（図１及び図４参照）。
【００２３】
また、底壁部２１１の左端部には、器具本体１の引掛金具４３，４３にそれぞれ引っ掛けられる引掛ばね４２，４２が、前後方向における両端寄りの位置にそれぞれ設けられている。さらに、底壁部２１１の右端部には、器具本体１の孔１１２１，１１２１にそれぞれ引っ掛けられる引掛片４１，４１が、前後方向における両端寄りの位置にそれぞれ設けられている。
【００２４】
カバー２３は、拡散性を有する材料（例えば乳白色のアクリル樹脂）からなり、前後方向に長く且つ上面（取付部材２１側の面）が開口する箱形に形成されている。また、カバー２３は、左右方向（幅方向）において両端部から中央部に近づくほど下側への突出量が大きくなるような凸レンズ形状の透光部２３１を有している（図１及び図５参照）。
【００２５】
透光部２３１の左右方向における両端部には、図５及び図６に示すように、互いに近づく方向に延出する一対の延出部２３２が全長に亘って設けられている。各延出部２３２は、透光部２３１の先端から水平且つ内向きに延出する第１延出部２３２１と、第１延出部２３２１の先端から斜め下向きに傾斜する傾斜部２３２２と、傾斜部２３２２の先端から水平且つ内向きに延出する第２延出部２３２３とで構成される。
【００２６】
各第１延出部２３２１の左右方向における中間部には、上向き（取付部材２１側）に突出する突壁部２３３が全長に亘って設けられている。また、各突壁部２３３の先端（上端）には、内向きに突出する突起部２３３１が設けられている。
【００２７】
電源装置２４は、板金に曲げ加工することにより、前後方向に長く且つ下面が開口する箱形に形成されたケース２４１を有する。ケース２４１の左側面部には、左向きに突出し且つその先端が上向きに突出するＬ字状の延出部２４３が一体に設けられている。そして、ケース２４１の左側面部と延出部２４３とでＵ字状の溝部２４６が形成され、例えば配線スペースとして利用される（図１参照）。
【００２８】
このケース２４１の内部には、ＬＥＤモジュール２２への供給電源を生成するための電源回路を構成する電子部品が実装された基板（図示せず）が収納される。また、基板の入力端には、接地線を含む３本の電線２４３が接続されており、これらの電線２４３の先端には、レセプタクルコネクタ１３２に接続されるプラグコネクタ２４２が接続されている（図２参照）。
【００２９】
ところで、上述のカバー２３を成形する場合、専用の成形型を用いる方法と押出成形する方法とがある。押出成形の場合、専用の成形型を用いる場合に比べてコストを抑えることができるものの、寸法バラツキや反りが大きくなりやすい。そのため、カバー２３を取付部材２１に取り付けた状態で両者の間に隙間が生じ、虫や塵埃などの異物が上記隙間を通って取付部材２１とカバー２３とで囲まれる空間に侵入する可能性がある。
【００３０】
そこで、本実施形態では、取付部材２１とカバー２３との間に生じる隙間を塞ぐために、カバー２３を取付部材２１に取り付けた状態で取付部材２１の底壁部２１１に接触する弾性部２３４をカバー２３に設けている。以下、弾性部２３４について、図１、図５及び図６を参照しながら具体的に説明する。
【００３１】
弾性部２３４は、図５及び図６に示すように、カバー２３とは異なる弾性材料（例えばシリコーンゴムなどのエラストマー）を用い、所謂二色成形（ダブルモールド）によってカバー２３と一体に成形される。この弾性部２３４は、カバー２３の突壁部２３３、第１延出部２３２１及び傾斜部２３２２に沿って形成された支持部２３４１と、支持部２３４１の先端から斜め上向きに傾斜する接触部２３４２とを有する。接触部２３４２は、カバー２３を取付部材２１に取り付けた状態で底壁部２１１の下面に接触する部位であり、上下方向に弾性変形する。
【００３２】
ここで、接触部２３４２と第２延出部２３２３とがなす角度が大きすぎると、接触部２３４２の先端が底壁部２１１に接触することで接触部２３４２が中折れする可能性がある。また、接触部２３４２と第２延出部２３２３とがなす角度が小さすぎると、接触部２３４２による底壁部２１１への密着度が低くなる。そのため、接触部２３４２と第２延出部２３２３とがなす角度は３０°〜７０°に設定するのが好ましく、より好ましくは６０°に設定するのがよい。
【００３３】
また、本実施形態では、カバー２３の各突壁部２３３の先端側から突起部２３３１にかけて弾性部２３５を一体成形している。この弾性部２３５も、弾性部２３４と同じ弾性材料を用い、二色成形によってカバー２３と一体に成形される。そして、カバー２３を取付部材２１に取り付けた状態では、各弾性部２３５が各側壁部２１２の引掛部２１２１に密着するため、カバー２３を押出成形することで取付部材２１とカバー２３との間に隙間が生じた場合でも、上記隙間を塞ぐことができる（図１参照）。
【００３４】
次に、光源ユニット２の組立手順について説明する。まず最初に、作業者は、取付部材２１の上面側に電源装置２４を取り付けるとともに、ＬＥＤ２２２が下側を向くようにして取付部材２１の底壁部２１１の下面にＬＥＤモジュール２２を取り付ける。このとき、作業者は、例えば取付部材２１の底壁部２１１の一部を切り起こすことで形成された爪（図示せず）を用いて、取付部材２１の底壁部２１１にＬＥＤモジュール２２を固定する。
【００３５】
さらに、作業者は、ＬＥＤモジュール２２の基板２２１に実装されたコネクタ（図示せず）より引き出された電線（図示せず）を電源装置２４に接続する。そして最後に、作業者は、開口側を上向きにした状態でカバー２３を取付部材２１に取り付ける。このとき、カバー２３の各突壁部２３３の突起部２３３１が、取付部材２１の対応する側壁部２１２の引掛部２１２１に引っ掛かることで、カバー２３が取付部材２１に取り付けられる。
【００３６】
またこのとき、図１に示すように、カバー２３の各弾性部２３４が取付部材２１の底壁部２１１の下面に密着する。これにより、カバー２３を取付部材２１に取り付けた状態で両者の間に隙間が生じた場合でも、この隙間を各弾性部２３４により塞ぐことができ、取付部材２１とカバー２３とで囲まれる空間への異物（虫や塵埃など）の侵入を低減することができる。
【００３７】
ここに、カバー２３を取付部材２１に取り付けた状態では、底壁部２１１への接触時に生じる接触部２３４２の反力を傾斜部２３２２が受けることにより力的にバランスが取れた状態になる。また、弾性部２３４を弾性材料により形成していることから、例えば施工時にカバー２３を取付部材２１に歪んだ状態で取り付けたとしても、接触部２３４２によりバラツキを補正することができ、異物の侵入を低減することができる。以上の手順に従って、光源ユニット２が組み立てられる。
【００３８】
さらに、弾性部２３４の長さ寸法は、図１に示すようにカバー２３を取付部材２１に取り付けた状態で、上下方向（取付部材２１の長手方向及び幅方向と直交する方向）において基板２２１と重ならない寸法に設定するのが好ましい。これにより、基板２２１に実装されたＬＥＤ２２２より放射される光が弾性部２３４によって遮光されるのを抑えることができる。
【００３９】
続けて、照明器具１０の施工手順について説明する。なお、以下では、端子台１３が予め器具本体１に取り付けられているものとして説明する。
【００４０】
まず最初に、施工者は、天井板１００を通して室内側に露出する電源ケーブル４及び信号ケーブル５をそれぞれ器具本体１の孔１１１１，１１１１に通すとともに、天井板１００を通して室内側に露出する吊ボルト２００，２００を孔１１１２，１１１２に通す。さらに、施工者は、各吊ボルト２００にワッシャー２０２を通した後、ナット２０１を各吊ボルト２００にねじ込んで器具本体１を天井板１００の下面に固定する。
【００４１】
その後、施工者は、電源ケーブル４の端部を端子台１３に接続するとともに、光源ユニット２の各引掛片４１を器具本体１の対応する孔１１２１に引っ掛けて、光源ユニット２を器具本体１に仮保持させる。次に、施工者は、光源ユニット２を器具本体１に仮保持させた状態のまま、端子台１３のレセプタクルコネクタ１３２を電源装置２４のプラグコネクタ２４２に接続するとともに、信号ケーブル５を端子台２５に接続する。
【００４２】
そして最後に、施工者は、器具本体１の孔１１２１，１１２１を支点として光源ユニット２を左右方向に回転させ、光源ユニット２を器具本体１に取り付ける。このとき、光源ユニット２の各引掛ばね４２が器具本体１の対応する引掛金具４３に引っ掛かることで、光源ユニット２が器具本体１に取り付けられる。以上の手順に従って、照明器具１０の施工が完了する（図３及び図４参照）。
【００４３】
図７Ａ〜図７Ｄは本実施形態の光源ユニット２に用いられるカバー２３のバリエーションを示す要部拡大図であり、これらの構成を採用した場合でも、同様に取付部材２１とカバー２３とで囲まれる空間への異物の侵入を低減することができる。
【００４４】
図７Ａに示すように、弾性部２３４の接触部２３４２の途中位置に窪み２３４２ａを設けた場合には、接触部２３４２を撓みやすくすることもできる。また、図７Ａに示すように、接触部２３４２の厚みが先端に近づくほど薄くなるようにした場合には、接触部２３４２を底壁部２１１に沿わせやすくなるという利点もある。
【００４５】
なお、上述の図５に示した弾性部２３４や後述の図７Ｃ及び図７Ｄに示す弾性部２３４において、弾性部２３４の厚みが先端に近づくほど薄くなるようにしてもよいことは言うまでもない。
【００４６】
さらに、図７Ｂに示すように、第２延出部２３２３の上面から上向き（取付部材２１側）に突出し、且つ第２延出部２３２３の全長に亘って形成された突起により弾性部２３４を構成してもよい。この場合も、カバー２３と取付部材２１との間に隙間が生じた場合でも、弾性部２３４を底壁部２１１の下面に密着させることで上記隙間を塞ぐことができる。
【００４７】
さらに、図７Ｃに示すように、第２延出部２３２３の上面から左右方向に階段状に延出する弾性部２３４を形成してもよい。但しこの場合、図７Ｃに示すように、弾性部２３４の先端と第２延出部２３２３の先端とを結ぶ平面Ｐ１よりも弾性部２３４が上側となるように、弾性部２３４の高さ寸法（上下寸法）を設定するのが好ましい。これにより、基板２２１に実装されたＬＥＤ２２２からの光が弾性部２３４により遮光されるのを抑えることもできる。
【００４８】
また、図７Ｄに示すように、第２延出部２３２３の上面から上向きに突出し且つその先端を外向きに突出させたＬ字状の弾性部２３４であってもよい。この場合も、カバー２３と取付部材２１との間に隙間が生じた場合でも、弾性部２３４を底壁部２１１の下面に密着させることで上記隙間を塞ぐことができる。
【００４９】
さらに、上述の弾性部２３４は、白色系の材料やカバー２３と同色（例えば乳白色）の材料により形成するのが好ましく、これにより弾性部２３４に向けてＬＥＤモジュール２２から放射される光を透過させることができ、照射光量の低下を抑えることができる。また、カバー２３を通して照射される光の配光に影響を与えなければ、濃色系（例えば黒色など）の材料により弾性部２３４を形成してもよい。
【００５０】
ところで、上述の実施形態では弾性部２３４を二色成形したが、カバー２３と同じ材料を用いて同時成形してもよい。この場合も、弾性部２３４を取付部材２１の底壁部２１１に密着させることで、取付部材２１とカバー２３とで囲まれる空間への異物の侵入を低減することができる。
【００５１】
但し、例えばポリカーボネートやアクリルのような硬質樹脂によりカバー２３を成形した場合、弾性部２３４の形状によっては接触時の応力が一か所に集中し、経年劣化により応力の集中する部位で破損する虞がある。したがって、弾性部の形状は応力を分散できる形状であるのが好ましく、例えば図８に示すように波状に形成するのがよい。
【００５２】
なお、本実施形態では、ＬＥＤ２２２が実装された基板２２１を有するＬＥＤモジュール２２を光源部としたが、光源部は照明空間に向けて光を放射するものであればよく、本実施形態に限定されない。また、本実施形態では、各突壁部２３３の突起部２３３１にも弾性部２３５を設けたが、少なくとも弾性部２３４が設けられていればよく、本実施形態に限定されない。
【００５３】
さらに、上述の図７Ｂに示す突起は２列である必要はなく、１列であってもよいし、３列以上であってもよい。
【００５４】
以上説明したように、本実施形態の光源ユニット２は、長尺状に形成された取付部材２１と、取付部材２１に取り付けられるＬＥＤモジュール２２（光源部）と、カバー２３とを備える。カバー２３は、透光性を有し、ＬＥＤモジュール２２を覆うようにして取付部材２１に取り付けられる。取付部材２１は、矩形板状に形成されてＬＥＤモジュール２２が取り付けられる底壁部２１１と、底壁部２１１の幅方向における両端から底壁部２１１と交差する方向で且つＬＥＤモジュール２２と反対側に突出する一対の側壁部２１２とを有する。カバー２３は、ＬＥＤモジュール２２を覆うようにして底壁部２１１と対向配置される透光部２３１と、透光部２３１の幅方向における両端から互いに近づく方向に延出する一対の延出部２３２とを有する。一対の延出部２３２の各々には、底壁部２１１と対向する部位より取付部材２１側に突出し、カバー２３を取付部材２１に取り付けた状態で底壁部２１１に接触する弾性部２３４が設けられている。
【００５５】
上記構成によれば、例えばカバー２３を押出成形することで取付部材２１とカバー２３との間に隙間が生じた場合でも、カバー２３の弾性部２３４が取付部材２１の底壁部２１１に接触することで上記隙間を塞ぐことができる。その結果、取付部材２１とカバー２３とで囲まれる空間への異物の侵入を低減することができる。
【００５６】
また、本実施形態の光源ユニット２のように、ＬＥＤモジュール２２は、ＬＥＤ２２２（発光素子）が実装された基板２２１を有するのが好ましい。この場合、弾性部２３４は、取付部材２１の長手方向及び幅方向と直交する方向において、底壁部２１１に取り付けられた基板２２１と重ならないように長さ寸法が設定されるのが好ましい。
【００５７】
上記構成によれば、基板２２１に実装されたＬＥＤ２２２より放射される光が弾性部２３４によって遮光されるのを抑えることができる。
【００５８】
また、本実施形態の光源ユニット２のように、弾性部２３４は、先端に近づくほど薄くなるように厚み寸法が設定されるのが好ましい。
【００５９】
上記構成によれば、取付部材２１の底壁部２１１に弾性部２３４を沿わせやすくなるという利点がある。
【００６０】
また、本実施形態の光源ユニット２のように、弾性部２３４は、白色系の材料又はカバー２３と同色の材料により形成されるのが好ましい。
【００６１】
上記構成によれば、弾性部２３４に向けてＬＥＤモジュール２２より放射される光を透過させることができ、照射光量の低下を抑えることができる。
【００６２】
本実施形態の照明器具１０は、光源ユニット２と、光源ユニット２が取り付けられる器具本体１とを備えている。
【００６３】
上記構成によれば、取付部材２１とカバー２３とで囲まれる空間への異物の侵入を低減させた照明器具１０を提供することができる。
【符号の説明】
【００６４】
１  器具本体
２  光源ユニット
１０  照明器具
２１  取付部材
２２  ＬＥＤモジュール（光源部）
２３  カバー
２１１  底壁部
２１２  側壁部
２２１  基板
２２２  ＬＥＤ（発光素子）
２３１  透光部
２３２  延出部
２３４  弾性部
【図１】
0006489469.tif 000002
【図２】
0006489469.tif 000003
【図３】
0006489469.tif 000004
【図４】
0006489469.tif 000005
【図５】
0006489469.tif 000006
【図６】
0006489469.tif 000007
【図７】
0006489469.tif 000008
【図８】
0006489469.tif 000009